(57)【要約】【課題】簡易な作業でフェンスを構成する板材の角度を調整可能として、光や風を自由に取り込める可動式ルーバフェンスとするための可動式ルーバフェンス用部材を提供する。【解決手段】可動式ルーバフェンス用部材１は、フェンスを構成する四角柱形状の支柱の左右側面にその上下方向に沿って取り付けられる支柱固定バー２と、板材の左右端の何れか一方を収容する収容空間３ａを有して支柱固定バー２に回動可能に連結されると共に上下方向に互いに所定間隔を有して並設される複数の板材収容ケース３と、支柱固定バー２に並設されると共に板材収容ケース３の一端側に回動可能に接続された連結バー４と、を備える。この構成により、可動式ルーバフェンス用部材１は、簡易な作業でフェンスの板材の角度を調整可能として、その結果、目隠しでありながら日差しや通風などの光や風をユーザの意図に合わせて自由に取り込める可動式ルーバフェンスを提供できる。【選択図】図３
0003233489.tif 000002
【実用新案登録請求の範囲】
【請求項１】
複数の板材が上下方向に並設されるフェンスにおいて、当該板材の角度を任意に調整可能な可動式ルーバフェンスにするための可動式ルーバフェンス用部材であって、
前記フェンスを構成する四角柱形状の支柱の左右側面に、その上下方向に沿って取り付けられる支柱固定バーと、
前記板材の左右端の何れか一方を収容する収容空間を有し、前記支柱固定バーに回動可能に連結されると共に上下方向に互いに所定間隔を有して並設される複数の板材収容ケースと、
前記支柱固定バーに並設されると共に、前記板材収容ケースの一端側に回動可能に接続された連結バーと、を備えることを特徴とする可動式ルーバフェンス用部材。
【請求項２】
前記板材収容ケースの前記収容空間は箱形状を有し、且つ板材が挿入される側の上面には当該板材を挿入するための挿入口が形成される、ことを特徴とする請求項１記載の可動式ルーバフェンス用部材。
【請求項３】
前記支柱固定バーは、その上下面において、上下に配置される他の前記支柱固定バーと連結するための爪部を有する、ことを特徴とする請求項１又は２記載の可動式ルーバフェンス用部材。
【請求項４】
前記連結バーは、その上下端側において、クリップ部材を介して上下に配置される他の前記連結バーと連結するための穴部を有する、ことを特徴とする請求項１乃至３の何れか一項に記載の可動式ルーバフェンス用部材。
【請求項５】
前記支柱固定バーは、前記板材収容ケースとの連結部の間に、当該支柱固定バーを前記支柱に固定するためのビスが挿入されるビス用穴部を有する、ことを特徴とする請求項１乃至４の何れか一項に記載の可動式ルーバフェンス用部材。
【請求項６】
前記請求項１乃至５の何れか一項に記載の可動式ルーバフェンス用部材を備える、ことを特徴とする可動式ルーバフェンス。
【考案の詳細な説明】
【技術分野】
【０００１】
本考案は、一般住宅などの板材を用いたフェンス（板塀）を可動式ルーバフェンスにするための可動式ルーバフェンス用部材、及びこの可動式ルーバフェンス用部材を備える可動式ルーバフェンスに関する。
【背景技術】
【０００２】
従来より、家や敷地などにおいて、区画、目隠しや侵入防止などの目的で塀が設けられており、ブロック塀や、木材を用いた板塀、レンガを用いたレンガ塀などが広く一般的に用いられている。ブロック塀は、重量感があるが殺風景となり、また、地震などの際に倒壊する虞がある。木材による板塀は、木目に味が出たり風合いを感じやすい外観となる一方、耐久性が弱く、腐朽、害虫被害や日焼けなどの問題がある。
【０００３】
近年においては、例えば、ポリエチレン樹脂に木粉を混合して表面を高密度ポリエチレン樹脂でコーティングした複層合成木材とすることで、天然木のような風合いと共に、高耐候性及び高強度を実現した板塀用材が販売されている（例えば、非特許文献１参照）。  
【０００４】
また、樹脂素材の欠点である気温による伸縮や経年劣化を緩和する目的で、芯材として充分な強度を有する金属材（例えばアルミ材）を用いて、気温によって伸縮することを防止した板塀用材も販売されている（例えば、非特許文献１参照）。さらに、災害に強く、設置時に高度な技術を必要としない化粧板をコンクリートで結合させた板塀も開示されている（例えば、特許文献１参照）。
【先行技術文献】
【特許文献】
【０００５】
【特許文献１】特開2005-256373号公報
【非特許文献】
【０００６】
【非特許文献１】“PLAD（登録商標）（グローベン株式会社）”[令和３年５月２２日検索]、インターネット＜ＵＲＬ：http://www.globen.co.jp/product/garden/plad.html＞
【考案の概要】
【考案が解決しようとする課題】
【０００７】
近年、コロナ禍などにおけるステイホームの影響で在宅勤務など人が家の中で過ごす時間が増加し、それに伴い隣地からの視線を遮るためのフェンス需要が増加している。しかしながら、図１２に示すように、従来のフェンス２０は、遮蔽のための板材が固定されているため、設置後に部屋が暗くなる、風が通らなくなるなどの問題が生じている。
【０００８】
また、このような問題を避けるために仮にフェンスをルーバ式とする場合においても、設置の際に多くの部品を取り付けるなど現場で相当の作業数、複数の作業員を要することも問題となる。
【０００９】
本考案は、上記課題に鑑みてなされたものであり簡易な作業でフェンスを構成する板材の角度を調整可能として日差しや通風などを自由に取り込める目隠し可動式ルーバフェンスとするための可動式ルーバフェンス用部材を提供することを目的とする。また、当該可動式ルーバフェンス用部材を備える可動式ルーバフェンスを提供することをも目的する。
【課題を解決するための手段】
【００１０】
上記目的を達成するために本考案は、複数の板材が上下方向に並設されるフェンスにおいて、当該板材の角度を任意に調整可能な可動式ルーバフェンスにするための可動式ルーバフェンス用部材であって、前記フェンスを構成する四角柱形状の支柱の左右側面に、その上下方向に沿って取り付けられる支柱固定バーと、前記板材の左右端の何れか一方を収容する収容空間を有し、前記支柱固定バーに回動可能に連結されると共に上下方向に互いに所定間隔を有して並設される複数の板材収容ケースと、前記支柱固定バーに並設されると共に、前記板材収容ケースの一端側に回動可能に接続された連結バーと、を備えることを特徴とするものである。
【００１１】
この可動式ルーバフェンス用部材において、前記板材収容ケースの前記収容空間は箱形状を有し、且つ板材が挿入される側の上面には当該板材を挿入するための挿入口が形成されることが好ましい。
【００１２】
この可動式ルーバフェンス用部材において、前記支柱固定バーは、その上下面において、上下に配置される他の前記支柱固定バーと連結するための爪部を有することが好ましい。
【００１３】
この可動式ルーバフェンス用部材において、前記連結バーは、その上下端側において、クリップ部材を介して上下に配置される他の前記連結バーと連結するための穴部を有することが好ましい。
【００１４】
この可動式ルーバフェンス用部材において、前記支柱固定バーは、前記板材収容ケースとの連結部の間に、当該支柱固定バーを前記支柱に固定するためのビスが挿入されるビス用穴部を有することが好ましい。
【００１５】
上記目的を達成するために本考案は、上記可動式ルーバフェンス用部材を備えることを特徴とするものである。
【考案の効果】
【００１６】
本考案に係る可動式ルーバフェンス用部材は、フェンスを構成する四角柱形状の支柱の左右側面にその上下方向に沿って取り付けられる支柱固定バーと、板材の左右端の何れか一方を収容する収容空間を有して支柱固定バーに回動可能に連結されると共に上下方向に互いに所定間隔を有して並設される複数の板材収容ケースと、支柱固定バーに並設されると共に板材収容ケースの一端側に回動可能に接続された連結バーと、を備える。この構成により、可動式ルーバフェンス用部材は、簡易な作業でフェンスの板材の角度を調整可能として、その結果、目隠しでありながら日差しや通風などの光や風をユーザの意図に合わせて自由に取り込める可動式ルーバフェンスを提供できる。
【図面の簡単な説明】
【００１７】
【図１】本考案の実施の形態に係る可動式ルーバフェンス用部材を備える可動式ルーバフェンスの正面図である。
【図２】（ａ）〜（ｃ）同上可動式ルーバフェンスの使用状態を示す参考図である。
【図３】同上可動式ルーバフェンス用部材の表面側の斜視図である。
【図４】同上可動式ルーバフェンス用部材の裏面側の斜視図である。
【図５】（ａ）同上可動式ルーバフェンス用部材の閉状態での平面図、（ｂ）同上可動式ルーバフェンス用部材の開状態での平面図である。
【図６】同上可動式ルーバフェンス用部材を上下に連結する際に用いるクリップ部材の斜視図である。
【図７】（ａ）〜（ｃ）同上可動式ルーバフェンス用部材の上下の連結方法の説明図である。
【図８】（ａ）及び（ｂ）同上可動式ルーバフェンス用部材の支柱への設置工程を説明するための図である。
【図９】（ａ）及び（ｂ）同上可動式ルーバフェンス用部材の支柱への設置工程を説明するための図である。
【図１０】（ａ）及び（ｂ）同上可動式ルーバフェンス用部材の支柱への設置工程を説明するための図である。
【図１１】同上可動式ルーバフェンス用部材の支柱への設置工程を説明するための図である。
【図１２】（ａ）及び（ｂ）従来のフェンス用部材の設置完了後の状態を示す参考図である。
【考案を実施するための形態】
【００１８】
（実施の形態）
本考案の実施の形態に係る可動式ルーバフェンス用部材について図面を参照して説明する。最初に、本実施の形態に係る可動式ルーバフェンス用部材の構造に関して図１乃至図５を参照しながら説明する。この可動式ルーバフェンス用部材１は、地面などから立設されてフェンスを構成する支柱に固定されることで、フェンスを可能式ルーバフェンスとするための部材である。なお、フェンス（板塀）は、家や敷地などにおいて、他との境界に設置する囲いであって、区画、目隠し、侵入防止の目的で設けられる。
【００１９】
可動式ルーバフェンス用部材１は、図１に示すように、可動式ルーバフェンス１０（以下フェンス１０と記載）を構成する四角柱（四角筒）形状の支柱１１の左右側の側面に取り付けられて板材１２を回転可能に固定する。なお、図１に示すフェンス１０は、板材１２が上下１５段（可動式ルーバフェンス用部材１を上下に３連結）であり、グランドからの高さ１７００ｍｍ、各支柱１１間のピッチ１０６０ｍｍとなる。フェンス１０のサイズは設置場所の状況に応じて組み合わせを変えるだけで適宜調整が可能である。また、使用する支柱１１のサイズは、４０ｍｍ角中芯＋６０ｍｍ角柱（高さＨ１２００ｍｍまで）、６０ｍｍ角柱（高さＨ１２０１〜Ｈ１８００ｍｍ）、７５ｍｍ角柱（高さＨ１８０１〜Ｈ２２００ｍｍ）など様々である。
【００２０】
図２は、フェンス１０の実際の使用状態を示し、可動式ルーバフェンス用部材１を用いることで板材１２の角度を自在に調整して、図２（ａ）に示す閉状態では視線を遮蔽でき、図２（ｃ）に示す開状態では任意に目隠しでありながら日差しや通風などの光や風を取り入れることができる。
【００２１】
可動式ルーバフェンス用部材１は、図３及び図４に示すように、支柱固定バー２、板材収容ケース３、及び連結バー４を備える。この可動式ルーバフェンス用部材１は左右対称となる一対の部材で構成され、この一対が支柱１１の左右側面に取り付けられることでフェンス１０の板材１２の角度調整を可能とする。
【００２２】
支柱固定バー２は、上下方向に伸長した四角柱形状を有し、フェンス１０を構成する四角柱形状の支柱１１の左右側面に、その上下方向に沿ってビス（小ネジ）を介して取り付けられる。具体的には、支柱固定バー２は、回動可能に連結された複数の板材収容ケース３との連結部２ａの間に、支柱固定バー２を支柱１１に固定するためのビスが挿入されるビス用穴部２ｂを有し、ここにビスを挿通することで支柱１１に設置固定される。また、支柱固定バー２は、その上下面において、上下に配置される他の支柱固定バー２と連結するための爪部２ｃを有する。この支柱固定バー２の高さは例えば４８０ｍｍである。
【００２３】
板材収容ケース３は、板材１２の左右端の何れか一方を収容する収容空間３ａを有して、支柱固定バー２に回動可能に連結されると共に、複数（本実施の形態では５つ）が上下方向に互いに所定間隔を有して並設されている。また、本実施の形態において、板材収容ケース３の収容空間３ａは箱形状を有し、且つ板材１２が挿入される側（連結バー４側）の上面に、板材１２を挿入するための挿入口３ｂが形成される。なお、本実施の形態においては、図５（ｂ）に示すように板材収容ケース３の左右方向の中央底部において支柱固定バー２に回動可能に連結されている。
【００２４】
なお、板材収容ケース３に収容される板材１２は、表面材としてポリエチレン樹脂に木粉を混合したものを使用し、天然木目フェンスのような外観を実現する。なお、板材１２の芯材には充分な強度を有したアルミ材（金属材）を採用し、樹脂素材の欠点である気温による伸縮や経年劣化を緩和しても良い。また、板材１２の内部に長手方向に沿った芯材を内部に有することで、強度が増すだけではなく、気温による伸縮がほとんどなくなり、長期間に亘って素材の安定性を保持できる。
【００２５】
連結バー４は、支柱固定バー２に並設されると共に、板材収容ケース３の一端側に回動可能に接続される。より具体的には、図３に示すように板材収容ケース３の一端側に略円形状の延出部３ｃが形成されており、この延出部３ｃが回動可能に連結バー４に連結される。また、連結バー４は、その上下端側において、後述するクリップ部材を介して上下に配置される連結バー４と連結するための穴部４ａを有する。ここで、図５（ａ）は、連結バー４を操作してフェンス１０を閉状態とした場合の可動式ルーバフェンス用部材１の平面図、図５（ｂ）はフェンス１０を開状態としたときの可動式ルーバフェンス用部材１の平面図を示す。
【００２６】
可動式ルーバフェンス用部材１を構成する板材収容ケース３の材料は、例えばＨＤＰＥ（High-density polyethylene：高密度ポリエチレン）であって、高耐候性素材となる。また、支柱固定バー２及び連結バー４の材料は、例えばISPLEN PG370AS（ポリプロピレンホモポリマーに30％の化学結合ファイバーグラス強化コンパウンド）である。これは、自動車のボンネットの下や電動工具、洗濯機のシリンダーなどにも使用されており、衝撃強度と剛性に特化しており、温度に依る収縮膨張や反りの少ない素材である。
【００２７】
可動式ルーバフェンス用部材１は、付属品としてビス、図６に示すような連結バー４を上下方向に連結するクリップ部材５を有する。このクリップ部材５は、中央部に略円筒形状となる凸部５ａと、両端側に凸状の係止爪５ｂと、を有する。なお、実際の販売時においては、一対の可動式ルーバフェンス用部材１、複数のクリップ部材５、及び複数のビスが同梱された可動式ルーバフェンス用キットとして販売される。
【００２８】
次に、この可動式ルーバフェンス用部材１のフェンス１０への設置工程に関して図７乃至図１１を参照しながら説明する。ここでは、板材１２が５枚仕様の可動式ルーバフェンス用部材１を３セット上下方向に連結して、これらを左右方向に３セット連結することで、図１に示すＨ１７００ｍｍ、W３２４０ｍｍのフェンス１０を設置する工程に関して説明する。
【００２９】
最初に、所定間隔（本ケースでは支柱１１間の柱芯々約１０６０ｍｍピッチ）で地面ＧＬより支柱を立設する。また、ここでは支柱１１は６０ｍｍ角スチール柱である。
【００３０】
次に、板材１２のカット加工を行う。板材１２は、例えば支柱１１が６０ｍｍ角の場合、柱芯々から−９４ｍｍでカットする（クリアランス含む）。具体的には、支柱１１の柱芯々１０６０ｍｍ（６０ｍｍ角柱）の場合、板材１２の長さは９６６ｍｍとなる。
【００３１】
次に、図７に示すように、可動式ルーバフェンス用部材１を上下方向に連結する。ここでは、図７（ａ）に示すように、上下方向に可動式ルーバフェンス用部材１を並べて、支柱固定バー２同士を連結する場合には、上下面に形成された凹凸の爪部２ｃを嵌合させる。連結バー４同士を連結する場合には上述したクリップ部材５を用い、連結バー４に形成された穴部４ａを重ねて、その穴部４ａにクリップ部材５の凸部５ａを挿入してから９０度回転させることで連結固定される。なお、可動式ルーバフェンス用部材１はフェンスを構成する支柱の高さに合わせて任意の箇所でカットできる。
【００３２】
次に、図８乃至図１０に示すように、可動式ルーバフェンス用部材１を、支柱１１の左右側面に取り付ける。具体的には支柱１１のビス位置に下穴を開けて、付属のビスで可動式ルーバフェンス用部材１を支柱１１の左右側面にビス固定する。この際、支柱１１が６０ｍｍ角柱の場合には、図８（ａ）に示すように、支柱１１の中心に支柱固定バー２の中心を合わせてビスを用いて取り付ける。なお、支柱１１が７５ｍｍ角柱の場合には、図８（ｂ）に示す位置に支柱固定バー２の中心を合わせて取り付ける。
【００３３】
最後に、図１１に示すように、板材収容ケース３に既にカットした板材１２を押し込む。具体的には、板材１２を板材収容ケース３の挿入口３ｂから半分ぐらいまで挿し込んだら、軽くたたいて奥まで入れる。なお、一度奥まで挿し込むと外れなくなるため接着やビス固定は不要である。このように非常に簡単に可動式ルーバフェンス用部材１を支柱１１に対して固定でき、その結果、短時間の作業で可動式ルーバフェンス１０を設置できる。
【００３４】
以上の説明のように、本考案は複数の板材１２が上下方向に並設されるフェンス１０において、板材１２の角度を任意に調整可能な可動式ルーバフェンス１０にするための可動式ルーバフェンス用部材１であり、フェンス１０を構成する四角柱形状の支柱１１の左右側面にその上下方向に沿って取り付けられる支柱固定バー２と、板材１２の左右端の何れか一方を収容する収容空間３ａを有して支柱固定バー２に回動可能に連結されると共に上下方向に互いに所定間隔を有して並設される複数の板材収容ケース３と、支柱固定バー２に並設されると共に板材収容ケース３の一端側に回動可能に接続された連結バー４と、を備える。この構成によって、可動式ルーバフェンス用部材１は、簡易な作業でフェンス１０の板材１２の角度を調整可能として、その結果、光や風をユーザの意図に合わせて自由に取り込める可動式ルーバフェンス１０となる。
【００３５】
また、従来のエクステリア市場ではアルミルーバや木目ルーバばかりだが、ナチュラルガーデンや植栽メインの庭に使用し易い人工木での現場組立式の可動式ルーバフェンス１０を簡易に提供できる。また、従来のアルミルーバなどは基本的に現場加工の難しいユニット式で、現場作業が困難であるが、本実施の形態に係る可動式ルーバフェンス用部材１や板材１２は、現場に合わせて長さを任意にカットできるため非常に扱いやすく作業性が良い。この結果、可動式ルーバフェンス１０の設置現場での作業をできるだけ軽減し、設置手順も簡単となる。
【００３６】
なお、本考案は、上記実施の形態の構成に限られず、考案の趣旨を変更しない範囲で種々の変形が可能である。例えば、可動式ルーバフェンス１０に備わる板材１２の開閉角度を固定できるストッパーを備えても良い。板材１２が本案件以外の軽量のものであれば固定する柱ピッチを広げることも可能である。2スパン以上の横連結をし2スパン以上が同時に回動する形でもよい。また、可動式ルーバフェンス用部材１を支柱１１や板材１２の色と合わせることで、外観の美しい仕上がりを実現できる。また、可動式ルーバフェンス用部材１の回動モーターを備えて、自動化や遠隔制御できる構成でも良い。
【００３７】
１  可動式ルーバフェンス用部材
２  支柱固定バー
２ａ  連結部
２ｂ  ビス用穴部
２ｃ  爪部
３  板材収容ケース
３ａ  収容空間
３ｂ  挿入口
３ｃ  延出部
４  連結バー
４ａ  穴部
５  クリップ部材
１０  可動式ルーバフェンス
１１  支柱
１２  板材
【図１】
0003233489.tif 000003
【図２】
0003233489.tif 000004
【図３】
0003233489.tif 000005
【図４】
0003233489.tif 000006
【図５】
0003233489.tif 000007
【図６】
0003233489.tif 000008
【図７】
0003233489.tif 000009
【図８】
0003233489.tif 000010
【図９】
0003233489.tif 000011
【図１０】
0003233489.tif 000012
【図１１】
0003233489.tif 000013
【図１２】
0003233489.tif 000014